(57)【要約】【課題】隣接するカードの端縁が略同一線上に位置するような状態でカードをポケットに収納することのできるカードホルダーとこれを綴じ込んだノートを提供すること。【解決手段】ベースシート３０の一縁３０Ａに連なるポケット形成シート３１が前記一縁に沿って複数設けられたシート基材Ｓからカードホルダー１３が形成される。このカードホルダー１３はノート本体１１に綴じ込まれ、当該カードホルダー１３は、ポケット形成シート３１をベースシート側３０側に折り返して底縁側が接着され、これにより、上、中、下段のポケット３２Ａ〜３２Ｃが形成される。カードＣがポケットに収納されたときには、隣接するカードの端縁同士が略同一線上に位置するように設けられている。【選択図】図１
2011194863.tif 000002
【特許請求の範囲】
【請求項１】
第１のシートと第２のシートとからなり、前記第２のシートを前記第１のシートに重ね合わせた状態で前記第２のシートの一部を第１のシートに接着することで、前記シート間にカードを出し入れ可能とするポケットが複数並設されたカードホルダーであって、
前記ポケットは、前記カードをそれぞれ収納したときに、隣接するカードの端縁同士が略同一線上に位置するように形成されていることを特徴とするカードホルダー。
【請求項２】
前記第２のシートは第１のシートの一縁に連なっていることを特徴とする請求項１記載のカードホルダー。
【請求項３】
一枚のベースシートの一縁に連なるポケット形成シートが前記一縁に沿って複数設けられたシート基材を用い、前記ポケット形成シートを前記一縁位置で折り曲げてベースシート側に折り返すとともに、前記一縁に略直交するポケット形成シートの底縁側を前記ベースシートに接着することで前記ベースシートとポケット形成シートとの間にポケットが複数並設されたカードホルダーであって、
前記ポケットは、前記カードをそれぞれ収納したときに、各カードの端縁側が、隣接するカードを収納するポケットの接着領域上に位置するとともに、隣接するカードの端縁同士が略同一線上に位置するように形成されていることを特徴とするカードホルダー。
【請求項４】
前記ポケット形成片は、前記ポケットにカードを収納したときに、当該カードの一部が表出可能となる平面形状に設けられていることを特徴とする請求項２記載のカードホルダー。
【請求項５】
請求項１ないし４の何れかのカードホルダーと、表紙体の内面側に綴じ具を介して筆記用紙が綴じ込まれたノート本体とからなり、
前記カードホルダーに綴じ穴を設けることで、当該カードホルダーを前記綴じ具を介して綴じ込んだことを特徴とするノート。
【請求項６】
請求項１ないし４の何れかのカードホルダーと、表紙体の内面側に綴じ具が設けられたファイル本体とからなり、
前記カードホルダーに綴じ穴を設けることで、当該カードホルダーを前記綴じ具を介して綴じ込んだことを特徴とするファイル。
【発明の詳細な説明】
【技術分野】
【０００１】
本発明はカードホルダー及びこれを備えたノート、ファイルに係り、特に、名刺等の定型的なカードを収納する複数のポケットを備えたカードホルダーと、当該カードホルダーを筆記用紙と共に綴じ込んだノート、ファイルに関する。
【背景技術】
【０００２】
従来より、名刺等のカードを一枚ずつ収納することのできるカードホルダーが知られている。この種のカードホルダーは、例えば、特許文献１及び２に開示されているように、台紙にシートを重ね合わせ、当該シートの一縁を除く外周をシートに接着（溶着）してポケットを形成し、これにより、ポケットにカードが収納可能となる構成が採用されている。
【先行技術文献】
【特許文献】
【０００３】
【特許文献１】実開昭５９−４３１７８号公報
【特許文献２】実開昭６２−１１６８８３号公報
【発明の概要】
【発明が解決しようとする課題】
【０００４】
しかしながら、特許文献１、２記載のカードホルダーにあっては、各ポケットにカードを収納したときに、相互に隣接するカードが平面内で離間した位置に設けられた構成となっている。すなわち、ポケットに収納されたカード間には、ポケットを形成するための溶着代が表出する状態で存在する構成となっている。
そのため、台紙面積を有効に利用してポケットが形成される構成ではなく、限られた面積内で効率よくカードを収納することには適していない。
また、ポケットは、台紙とは別体のシートを重ね合わせて構成されるものであり、製造コストが高くなる他、溶着箇所も増える、という不都合がある。
【０００５】
［発明の目的］
本発明は、このような不都合に着目して案出されたものであり、その目的は、隣接するカードの端縁が略同一線上に位置するような状態でカードをポケットに収納してカード間に無駄なスペースを生じさせることがないカードホルダーと、当該カードホルダーを筆記用紙と共に綴じ込んだノートを提供することにある。
【課題を解決するための手段】
【０００６】
前記目的を達成するため、本発明は特許請求の範囲記載の構成を採用した。具体的には、第１のシートと第２のシートとからなり、前記第２のシートを前記第１のシートに重ね合わせた状態で前記第２のシートの一部を第１のシートに接着することで、前記シート間にカードを出し入れ可能とするポケットが複数並設されたカードホルダーであって、
前記ポケットは、前記カードをそれぞれ収納したときに、隣接するカードの端縁同士が略同一線上に位置するように形成される、という構成を採っている。
【０００７】
本発明において、前記第２のシートは第１のシートの一縁に連なっているものを用いることができる。
【０００８】
また、本発明は、一枚のベースシートの一縁に連なるポケット形成シートが前記一縁に沿って複数設けられたシート基材を用い、前記ポケット形成シートを前記一縁位置で折り曲げてベースシート側に折り返すとともに、前記一縁に略直交するポケット形成シートの底縁側を前記ベースシートに接着することで前記ベースシートとポケット形成シートとの間にポケットが複数並設されたカードホルダーであって、
前記ポケットは、前記カードをそれぞれ収納したときに、各カードの端縁側が、隣接するカードを収納するポケットの接着領域上に位置するとともに、隣接するカードの端縁同士が略同一線上に位置するように形成される、という構成を採ることが好ましい。
【０００９】
更に、前記ポケット形成片は、前記ポケットにカードを収納したときに、当該カードの一部が表出可能となる平面形状に設けられる、という構成を採っている。
【００１０】
また、本発明に係るカードホルダー付きノートは、前記カードホルダーと、表紙体の内面側に綴じ具を介して筆記用紙が綴じ込まれたノート本体とからなり、
前記カードホルダーに綴じ穴を設けることで、当該カードホルダーを前記綴じ具を介して綴じ込まれる、という構成を採っている。
【００１１】
更に、本発明は、上記カードホルダーと、表紙体の内面側に綴じ具が設けられたファイル本体とからなり、
前記カードホルダーに綴じ穴を設けることで、当該カードホルダーを前記綴じ具を介して綴じ込んでファイルを構成することができる。
【００１２】
なお、本発明における「接着」とは溶着をも含む概念として用いられる。
【発明の効果】
【００１３】
本発明によれば、ポケットにカードを収納したときに、それらの端縁が略同一線上に位置するように設けられているので、用いるシートの面内に無駄なスペースを生じさせてしまうことがない。
【００１４】
また、ポケットを形成するための接着領域にカードの一部が重なるように構成されているため、接着領域がカード間に生じてしまう従来タイプのデッドスペースを無くすことができ、シート面積の有効利用を図ることができる。
【００１５】
更に、例えば、第２のシート若しくはポケット形成シートが透光性を有するシートであるときには、良好な視認性を得ることができる。
【００１６】
また、ポケットにカードを収納したときに、カードの一部が表出可能であれば、カードの出し入れを容易に行うことができる。しかも、この場合、第２のシート若しくはポケット形成シートが不透明であっても、カードの表示若しくは印刷内容を部分的に見ることができる。
【図面の簡単な説明】
【００１７】
【図１】本実施形態に係るノートの概略斜視図。
【図２】カードホルダーの展開平面図。
【図３】カードホルダーの変形例を示す展開平面図
【発明を実施するための形態】
【００１８】
以下、本発明の実施形態を図面を参照しながら説明する。
【００１９】
図１に示されるように、ノート１０は、ノート本体１１と、当該ノート本体１１に綴じ具１２を介して綴じ込まれたカードホルダー１３とを備えて構成されている。ノート本体１１は、中間に背表紙１５を備えた一対の表表紙１６及び裏表紙１７とからなる表紙体１８と、この表紙体１８の内側に綴じ具１２を介して綴じ込まれた多数枚の筆記用紙Ｐとからなる。綴じ具１２は、特に限定されるものではないが、二つのツインリングが用いられている。
【００２０】
前記カードホルダー１３は、筆記用紙Ｐと略同一の平面積を備えた大きさとされ、本実施形態では、図１中上下寸法（長さ）が１７０ｍｍ、左右寸法（幅）が１００の縦長となる長方形状に設けられている。このカードホルダー１３は、図２に示されるように、一枚の紙若しくは樹脂シートからなる第１のシートとしてのベースシート３０と、このベースシート３０の一縁となる左縁３０Ａに連なる第２のシートとしてのポケット形成シート３１とからなるシート基材Ｓを用いて形成されている。
【００２１】
これを更に詳述すると、ベースシート３０の左縁３０Ａには、上下方向三箇所から幅方向外側に向かって三つのポケット形成シート３１が連設されており、これらポケット形成シート３１を前記左縁３０Ａで折り曲げてベースシート３０側に折り返し、左縁３０Ａに対して略直交するポケット形成シート３１の底縁側（下縁側）をベースシート３０に接着することでベースシート３０とポケット形成シート３１との間に、上、中、下段のポケット３２Ａ〜３２Ｃが並設されるようになっている。
【００２２】
前記ポケット形成シート３１は、平面形状がそれぞれ三角形に近似した形状をなし、これらポケット形成シート３１を図２中矢印Ｂ方向に折り返してベースシート３０に接着してポケット３２Ａ〜３２Ｃを形成したときに、ポケット３２Ａ〜Ｃ内に収納される名刺等のカードＣの約半分領域が表出できるようになっている。ここで、上部二つのポケット形成シート３１は、折り返すときの自由端側（図２中左端側）に綴じ穴３１Ａが形成されており、この綴じ穴３１は、ポケット形成シート３１をベースシート３０側に折り返して重ねたときに、ベースシート３０の右端側に設けられた綴じ穴３０Ｃの一部と一致するようになっている。なお、各ポケット形成シート３１は、図２中網点で示した部分が接着領域Ａとされ、当該接着領域をベースシート３０に接着することで、各ポケット形成シート３１の下縁側と自由端側が封止される。
【００２３】
前記ポケット３２Ａ〜Ｃは、カードＣがそれぞれ収納されたときに、各カードＣの隣接する端縁同士が略同一線上に位置するようになっている。具体的には、上段ポケット３２Ａに収納されたカードＣの下端縁Ｃ１は、当該上段ポケット３２Ａの接着領域Ａの上縁に位置し、中段ポケット３２Ｂに収納されたカードＣの上端縁Ｃ２は、上段ポケット３２Ａのポケット形成シート３１の表面側で接着領域Ａに対応する領域に重なって当該接着領域Ａの上縁に一致する位置を取り、また、中段ポケット３２Ｂに収納されたカードＣと下段ポケット３２Ｃに収納されたカードＣも、同様に端縁が略同一線上に位置するようになっている。なお、上段ポケット３２Ａ内のカードＣの上端縁Ｃ２は、ベースシート３１の上端縁に略一致するように設けられている。
【００２４】
従って、このような実施形態によれば、各ポケット３２内に収納されたカードＣの端縁が相互に突き合うような状態で位置することになり、上段ポケット３２Ａの接着領域Ａに、中段ポケット３２ＢのカードＣの上端縁側が重なるように位置するので、接着領域ＡがカードＣ間に表出してしまうことがなく、実質的に、当該接着領域Ａをカード収納領域の一部に取り込んだ状態となる。従って、限られた面積内での収納効率を高めたカード収納を行うことができる。
また、一枚のカード上に、他のポケットに収納されたカードが多重的に重なる収納ではないので、厚みを増してしまうような不都合も生じない。
【００２５】
以上のように、本発明を実施するための最良の構成、方法等は、前記記載で開示されているが、本発明は、これに限定されるものではない。
すなわち、本発明は、主に特定の実施例に関して特に図示し、且つ、説明されているが、本発明の技術的思想及び目的の範囲から逸脱することなく、以上説明した実施例に対し、形状、材質、数量、位置若しくは配置等に関して当業者が様々な変更を加えることができるものである。
従って、既に開示した形状等の限定をした記載は、本発明の理解を容易にするために例示的に示したものであり、本発明を限定するものではないから、それらの形状等の限定を一部若しくは全部の限定を外した部材の名称での記載は、本発明に含まれるものである。
【００２６】
例えば、ポケット形成シート３１の平面形状は前記実施形態に限られるものではなく、図３に示されるように、折り返す際の自由端側が湾曲形状に設けられてカードＣの一部が表出可能となるもの等を採用してもよい。
【００２７】
また、シート基材Ｓ全体が透光性を有する樹脂シート製とし、接着領域を溶着することでポケットを形成してもよい。この場合、個々のカードＣは、全体的に視認可能になるという効果を付加することができる。
【００２８】
更に、前記実施形態では、ポケット形成シート３１がベースシート３０の一縁に連なるシート基材Ｓを用いて構成する場合を示したが、ポケット形成シート３１とベースシート３０を別体とし、ポケット形成シート３１をベースシート３０に接着する構成も採用することができる。
【００２９】
また、表紙体の内面側に綴じ具を設け、当該綴じ具に前記カードホルダー１３を複数枚綴じ込むことでファイルを提供することができる。
【符号の説明】
【００３０】
１０  ノート
１１  ノート本体１１
１２    綴じ具
１３  カードホルダー
３０  ベースシート（第１のシート）
３０Ａ  左縁（一縁）
３１  ポケット形成シート（第２のシート）
３２Ａ、３２Ｂ、３２Ｃ  ポケット
Ｃ１  下端縁
Ｃ２  上端縁
Ｐ  筆記用紙
Ｓ  シート基材
【図１】
2011194863.tif 000003
【図２】
2011194863.tif 000004
【図３】
2011194863.tif 000005